(57)【要約】本発明は、操作コード掛け部を挟んで両側に形成される一対のグリップ本体と、前記グリップ本体の間に締結具によって結合され、前記締結具を軸にスプリング（１３３）によって回動可能なように結合されるはさみ（１３０）と、を備え、前記はさみのはさみ部（１３４）は、グリップ本体の一方に露出されるようにするが、前記操作コード掛け部の反対側に露出されて操作コードをかんではさめるように構成されるブラインド操作コード用安全グリップを提供するためのものであり、本発明の効果としては、ロールスクリーンブラインドの昇降、下降を作動させる操作コードをグリップに形成されたはさみにかませて折りたたまれた状態で保管することができ、またグリップを取付装置によって壁に固定させることにより、子供たちが操作コードに首をかけてけがをしたり死んだりするような安全事故を未然に防止するとともに、操作コードを望む位置に容易に保管できるようにする、非常に有用な発明である。
2016532035.tif 000002
【特許請求の範囲】
【請求項１】
操作コード掛け部を挟んで両側に形成される一対のグリップ本体と、
前記グリップ本体の間に締結具によって結合され、前記締結具を軸にスプリングによって回動可能に結合されるはさみと、を備え、
前記はさみのはさみ部は、前記グリップ本体の一方に露出されるようにするが、前記操作コード掛け部の反対側に露出されて操作コードをかんではさむことができるように構成されることを特徴とするブラインド操作コード用安全グリップ。
【請求項２】
前記はさみは、前記締結具を軸に前記グリップ本体の間に結合される一対の本体からなるが、前記本体の一方には前記はさみ部が形成され、他方には翼部が形成され、
前記翼部の内側にはスプリング挿入孔が形成されてスプリングの両端が挿入されるように構成されることを特徴とする請求項１に記載のブラインド操作コード用安全グリップ。 
【請求項３】
一方に操作コード掛け部を備え、他方に締結具結合孔が形成されたグリップ本体と、
前記グリップ本体の係止部の内部に挿入部が挿入され、先端部が前記係止部にかかるように構成される一対のはさみと、を備えることを特徴とするブラインド操作コード用安全グリップ。
【請求項４】
前記一対のはさみの内側にはヒンジ部が形成されて前記締結具結合孔を貫通する締結具により軸結合されて回転可能にして、前記一対のはさみの内側に形成されるスプリングによって前記締結具を中心に弾力が作用するように構成されることを特徴とする請求項３に記載のブラインド操作コード用安全グリップ。
【請求項５】
取付具と操作コード用安全グリップとからなるブラインド操作コード用安全グリップの取付装置において、
前記取付具は通孔を備える基板を備え、前記基板の上部両側には下部から上部に形成される嵌合溝を備える遮断部が形成され、前記嵌合溝の下部には前記基板から突出する弾力突起が形成されるようにし、
前記操作コード用安全グリップの上部両側には、前記取付具の前記嵌合溝に挿入される挿入翼が形成され、前記挿入翼の下端には前記取付具の前記弾力突起がかかるようにするための係止部が形成されるように構成することを特徴とするブラインド操作コード用安全グリップの取付装置。
【発明の詳細な説明】
【技術分野】
【０００１】
本発明は、ブラインド操作コード用安全グリップおよびその取付装置に関するものであり、ロールスクリーンブラインドの昇降、下降を作動させる操作コードをはさみに噛ませて保管できるようにするためのものであって、操作コードが垂れることを防止して子供たちの安全事故を未然に防止するとともに、操作コードを望みの位置に容易に保管できるようにするブラインド操作コード用安全グリップおよびその取付装置に関するものである。
【背景技術】
【０００２】
一般的に、ロールスクリーンブラインドは、オフィスや家庭または飲食店などでカーテンの代わりに使用することで、布または合成樹脂からなるスクリーンをブラケットの一方に設けられたスプロケット（ｓｐｒｏｃｋｅｔ）によりラウンド形態で連結された操作コード、つまりボールチェーンを一方に引いてスクリーンがスプリングの弾性力によって巻取管から解かれながら下降するようになり、これを一定の位置に固定させて窓等を介して入ってくる光を遮断するのに使用するものである。
【０００３】
このようなロールスクリーンブラインド１０´は、添付の図面の図１に示すように、両側のブラケット９に回動部材５と減速部材８を設置し、その外面にスクリーンが巻かれている巻取管を締結する。
【０００４】
前記回動部材５は、回動体１の前方に回動具２が形成された連結軸３を設置し、連結軸３の外面にスプリング４を結合する。そして、スプリング４の両端は回動体１と回動具２の片面に固定されるようにし、回動具２はスプリング４の弾性により連結軸３を左右に移動させるようになる。
【０００５】
前記減速部材８は、アジャスターを有する回動体１の前方に減速機６を設置し、その前方に減速ナット７ａを有する固定軸７を結合する。
【０００６】
前記回動体１の内部には、外面にボールチェーン９ａが締結されるスプロケット１１が回動可能に設置されている固定軸１２を有する固定板に設置される。
【０００７】
そして、前記両側の回動体１の外面にスクリーンが巻かれている巻取管を締結し、ブラケット９を、ネジ等を用いて窓枠およびガラス壁枠に固定設置する。
【０００８】
このようなロールスクリーンブラインドのスクリーンを上側、下側に作動するためには、スプロケット１１に設置されているボールチェーン９ａの一方を引っ張ると、スクリーンが下側に降りてきて光を遮断するようになり、ボールチェーン９ａの他方を引っ張るとスクリーンが上側に上がりながら開放される。
【０００９】
このような従来のロールスクリーンブラインドは、一方に設置されたラウンド形態のボールチェーンが固定されている状態で作動するのでなく、自由に揺れる状態で作動するようになるため、家庭の子供たちが家の中で誤ってまたはいたずらによって首にかけて死亡するような安全事故がしばしば発生するようになり、社会的に大きな問題となっている。
【００１０】
それで、ボールチェーンによる小児の安全事故を未然に防止するために「外面にボールチェーンが締結される回転ギアが一体に形成されたロールスクリーンにおいて、一つの本体を２つ以上に分割し、それぞれの分割された本体外面に多数のボールチェーン溝と内周面に係止溝を有する結合孔と表面の一方に上向きに突出した逆ひし形のガイド突起を形成して互いに対称になるように結合された弾性ギアと；前記上側本体の内部に一つまたはそれ以上の圧縮スプリングが締結される結合突起を形成し、下側本体には結合突起が挿入される挿入溝を形成して、上側本体が圧縮スプリングの弾性によって上向きに突出され、弾性ギアの回転を防止する弾性部と；前記弾性ギアのボールチェーン溝に設置されたボールチェーンにスプリングが設置された安全リングを設置した後、下側に引いて壁に固定設置して弾性ギアの回転拘束がボールチェーンの張力によって自動解除されて回転することを特徴」とする「小児安全ロールスクリーン装置」が韓国登録特許第１０−０９９４４０１号として先出願されている。
【００１１】
前記のような特徴を有する「小児安全ロールスクリーン装置」は、弾性ギアに締結されたボールチェーンの安全リングを壁面や窓枠にゆるみなく固定して設置しなければ、ロールスクリーン自体が動作しなくなり、必ず安全リングを壁に固定してはじめてロールスクリーンが作動するようになる拘束力を有するようになる。
【００１２】
したがって、ボールチェーンがゆるみなく設置されており、安全事故を完全に遮断するようにしているが、安全リングの構造が複雑であることはもちろん安全リングを設置しなければならない壁面の位置も適当でなく安全リングを壁に固定していないときには、使用上に多くの不便が伴うので、使用が便利でありながら構造が簡単な安全装置の開発の必要性が台頭しているのが実情である。
【００１３】
また、安全リングを壁に固定していないときには、従前のように、ボールチェーンに小児が誤りまたはいたずらにより身体の一部である首などが巻かれて首が絞めつけられるなどの安全事故を防止することができなくなって、大きな事故につながる短所を持つ。
【先行技術文献】
【特許文献】
【００１４】
【特許文献１】大韓民国登録特許第１０−０９９４４０１号
【発明の概要】
【発明が解決しようとする課題】
【００１５】
前記のような問題点を解決するための本発明の目的は、ロールスクリーンブラインドの昇降、下降を作動させる操作コードをグリップに形成したはさみで噛ませて折りたたまれた状態で保管することができ、またグリップを壁に形成された掛け具にかけたりネジなどで壁に固定させて子供たちが操作コードに首をかけてけがをしたり死んだりするなどの安全事故を未然に防止するとともに、操作コードを望みの位置に容易に保管できるようにするブラインド操作コード用安全グリップおよびその取付装置を提供することにある。
【課題を解決するための手段】
【００１６】
前記のような目的を達成するための本発明の安全グリップは、操作コード掛け部を挟んで両側に形成される一対のグリップ本体と、前記グリップ本体の間に締結具によって結合され、前記締結具を軸にスプリングによって回動可能なように結合されるはさみと、を備え、前記はさみのはさみ部は、前記グリップ本体の一方に露出されるが、前記操作コード掛け部の反対側に露出されて操作コードをかんではさめるように構成されることを特徴とする。
【００１７】
また、本発明の安全グリップの取付装置は、通孔を備える基板を備え、前記基板の上部両側には下部から上部に形成される嵌合溝を備える遮断部が形成され、前記嵌合溝の下部には前記基板から弾力的に突出される突起が形成されるようにし、前記操作コード用安全グリップの上部両側には前記取付具の前記嵌合溝に挿入される挿入翼が形成され、前記挿入翼の下端には前記取付具の前記突起がかかるようにする係止部が形成されるように構成されることを特徴とする。
【発明の効果】
【００１８】
本発明の効果としては、ロールスクリーンブラインドの昇降、下降を作動させる操作コードをグリップに形成されたはさみにかませて折りたたまれた状態で保管することができ、グリップを取付装置によって容易に壁に着脱することができるようになり、使用上の利便性を図ることができ、かつ子供たちが取付装置から安全グリップを容易に分離することができないようにして操作コードによってけがをしたり死んだりするような安全事故を未然に防止するとともに、操作コードを望む位置に容易に保管できるようにする、非常に有用な発明である。
【図面の簡単な説明】
【００１９】
【図１】従来のロールスクリーンのブラインド操作コードの構成を示す斜視図である。
【図２】本発明の実施例によるブラインド操作コード用安全グリップの分解斜視図である。
【図３】図２の結合された状態の透視図である。
【図４】本発明のはさみの作動状態を示すための参考図である。
【図５】本発明の操作コード掛け部に操作コードがかかっている状態を示すための参考図である。
【図６】本発明のはさみ部により操作コードをかんで操作コードをたたんで保管する状態を示すための使用状態の参考図である。
【図７】本発明の他の実施例によるブラインド操作コード用安全グリップの分解斜視図である。
【図８】図７の結合された状態の斜視図である。
【図９】図８の縦断面図である。
【図１０】本発明の他の実施例の分解斜視図である。
【図１１】図１０の結合された状態の斜視図である。
【図１２】本発明の作用状態の参考図である。
【図１３】本発明の使用状態の参考図である。
【図１４】本発明の他の実施例による安全グリップ取付装置の分解斜視図である。
【図１５】図１４の結合された状態の斜視図である。
【図１６】図１５の断面図である。
【図１７】本発明の安全グリップ取付装置の使用状態の参考図である。
【発明を実施するための形態】
【００２０】
以下、本発明によるブラインド操作コード用安全グリップとその取付装置に対する好ましい実施例について添付された図面を参照して詳細に説明する。
【００２１】
まず、図において、同じ構成要素または部品は可能な限り同一の参照符号で示していることに留意すべきである。また、本発明を説明するにおいて、関連する公知の機能または構成に関する具体的な説明は、本発明の要旨を不明瞭にしないようにするために省略することにする。
【００２２】
図面に示されるように、本発明の実施例によるブラインド操作コード用安全グリップ１００は、操作コード掛け部１１５を挟んで両側に形成される一対のグリップ本体１１０と、前記グリップ本体１１０の間に締結具１２０によって結合され、前記締結具１２０を軸にスプリング１３３によって回動可能に結合されるはさみ１３０と、前記はさみ１３０のはさみ部１３４はグリップ本体１１０の一方に露出されるようにするが、前記操作コード掛け部１１５の反対側に露出されて操作コードＡをかんではさむことができるように構成される。この時、前記締結具１２０はネジが使用されることもでき、公知のボルトとナット１２１などをセットで使用することもできる。
【００２３】
前記はさみ１３０は、前記締結具１２０を軸にグリップ本体１１０の間に結合される一対の本体１３０ａからなるが、前記本体１３０ａの一方にははさみ部１３４が形成され、他方には翼部１３１が形成され、前記翼部１３１の内側にはスプリング挿入孔１３３ａが形成されてスプリング１３３の両端が挿入されうるように構成される。
【００２４】
前記はさみ部１３４の内側には、操作コード係止溝１３４ａが形成されるように構成される。前記操作コード係止溝１３４ａは、はさみ部１３４に操作コードＡをかませるとき容易に離脱しないようにするために必要な構成である。
【００２５】
したがって、はさみ１３０の駆動のためには、前記はさみ１３０の翼部１３１がグリップ本体１１０から露出される構造を有する必要があり、そのために前記グリップ本体１１０の両側に弧状の凹部１１１が形成されることが好ましい。
【００２６】
もちろん、前記はさみ１３０の翼部１３１をグリップ本体１１０の外側に露出されるように突出構造を持つこともありうるが、これは美観上良くなく、グリップ本体１１０の外に露出されたはさみ１３０の翼部１３１がじゃまになるという短所を有するようになり好ましくない。
【００２７】
前記グリップ本体１１０と操作コード掛け部１１５には通孔１１２が形成されるが、これは本発明のブラインド操作コード用安全グリップ１００を掛け具や釘などにかけて保管するときに必要な構成である。
【００２８】
また、前記グリップ本体１１０のいずれか一方にはネジ貫通孔１１３を形成することもあるが、これは本発明のブラインド操作コード用安全グリップ１００をネジ等で壁や窓枠などに打ち込んで固定しておくための構成である。
【００２９】
また、図７〜図９に示すように、本発明のブラインド操作コード用安全グリップ１００ａは他の実施例としても構成されうるが、これは一方に操作コード掛け部１１５´を備え、他方には締結具結合孔１３２´が形成されたグリップ本体１１０´と、前記グリップ本体１１０´の係止部１１１の内部に挿入部１３７が挿入されて先端部が係止部１１１にかかるように構成される一対のはさみ１３０´からなる。
【００３０】
前記一対のはさみ１３０´の内側にはヒンジ部１３０ｂが形成され、締結具結合孔１３２´を貫通する締結具１２０´によって軸結合されて回転可能になり、一対のはさみ１３０´の内側に形成されるスプリング１３３´によって締結具１２０´を中心に弾力が作用する構造を有する。この時、前記スプリング１３３´は、はさみ１３０´の内側に形成されるスプリング固定部１３５によって支えられる。
【００３１】
このように、本発明は、操作コードをグリップに形成されたはさみでかんで折りたたまれた状態で保管することもでき、またグリップを取付装置によって壁に固定させることで子供たちが操作コードに首をかけてけがをしたり死んだりするような安全事故を未然に防止するとともに、操作コードを望む位置に容易に保管できるものである。
【００３２】
前記操作コードＡは、本発明では、プラスチック具とコードとが反復して連結された構造を示したが、前記操作コードは前記のような構造に限定されるものでなく、公知のコードや紐のような形状からのみなりうるし、公知の様々なチェーン形状からもなりうるのは当然である。
【００３３】
本発明の他の実施例によるブラインド操作コード用安全グリップ取付装置１０００は、取付具１１１０と操作コード用安全グリップ１００ａとからなるが、前記取付具１１１０は、通孔１１１１ａを備える基板１１１１を備え、前記基板１１１１の上部両側には、下部から上部に形成される嵌合溝１１１２ａを備える遮断部１１１２が形成され、前記嵌合溝１１１２ａの下部には、基板１１１１から突出する弾力突起１１１３が形成されるようにし、前記操作コード用安全グリップ１００ａの上部両側には、前記取付具１１１０の嵌合溝１１１２ａに挿入される挿入翼１１２１が形成され、挿入翼１１２１の下部には、取付具１１１０の弾力突起１１１３がかかるようにするための係止部１１２２が形成されるようにする。
【００３４】
この時、基板１１１１の通孔１１１１ａは、ネジのような締結具１１１ｂによって取付具１１１０を壁面（窓枠）に固定させるための構造であり、このとき、締結具１１１ｂは、基板１１１１の表面より高く突出してはいけない。これは、操作コード用安全グリップ１００ａが取付具１１１０の嵌合溝１１１２ａにスライド方式で結合されるからである。
【００３５】
このように取付具１１１０が壁面に固定された状態で操作コード用安全グリップ１００ａの挿入翼１１２１を嵌合溝１１１２ａに嵌合し、上に持ち上げられたら、操作コード用安全グリップ１００ａの係止部１１２２が取付具１１１０の基板１１１１から突出した弾力突起１１１３にかかりながらホールディング（ｈｏｌｄｉｎｇ）される。
【００３６】
このように、本発明は、操作コード用安全グリップ１００ａを取付具１１１０によって壁面や窓枠に密着させて取り付ける構造なので、子供たちが操作コードに首をかけてけがをしたり死んだりするような安全事故を未然に防止することができ、また操作コード用安全グリップを使用者が望む位置に容易に保管できる効果を有する。
【００３７】
また、本発明は、操作コード用安全グリップ１００ａがかなりの弾力を有する弾力突起１１１３にかかった状態なので、かなりの力を加えて降下させなければ取付具１１１０から分離されない構造であるから、子供たちが容易にこれを抜いて遊ぶことができないようにした。
【００３８】
上述したように、本発明は限定された実施例で説明したが、本発明はこれに限定されず、本発明が属する技術分野において通常の知識を有する者により、本発明の技術思想と下記に記載される特許請求の範囲の均等範囲内で多様な修正及び変形が可能である。
【符号の説明】
【００３９】
１００：本発明のブラインド操作コード用安全グリップ
１００ａ：操作コード用安全グリップ
１１０：グリップ本体
１１５：操作コード掛け部
１２０：締結具
１３０：はさみ
１３１：翼部
１３２：締結具結合孔
１３３：スプリング
１３４：はさみ部
１１００：グリップ取付装置
１１１０：取付具
１１１１：基板
１１１１ａ：通孔
１１１２：遮断部
１１１２ａ：嵌合溝
１１１３：弾力突起
１１２１：挿入翼
１１２２：係止部
Ａ：操作コード
Ｂ：壁または窓枠
【図１】
2016532035.tif 000003
【図２】
2016532035.tif 000004
【図３】
2016532035.tif 000005
【図４】
2016532035.tif 000006
【図５】
2016532035.tif 000007
【図６】
2016532035.tif 000008
【図７】
2016532035.tif 000009
【図８】
2016532035.tif 000010
【図９】
2016532035.tif 000011
【図１０】
2016532035.tif 000012
【図１１】
2016532035.tif 000013
【図１２】
2016532035.tif 000014
【図１３】
2016532035.tif 000015
【図１４】
2016532035.tif 000016
【図１５】
2016532035.tif 000017
【図１６】
2016532035.tif 000018
【図１７】
2016532035.tif 000019
【国際調査報告】
2016532035.tif 000020
2016532035.tif 000021
2016532035.tif 000022
2016532035.tif 000023
2016532035.tif 000024
2016532035.tif 000025